(57)【要約】【課題】パラメータセットの適用によるレタッチ処理の効果を示すこと。【解決手段】画像処理装置１００は、画像データのレタッチ処理をおこなう際に当該画像データのパラメータ値を調整するユーザ操作部１０４と、ユーザ操作部１０４によって調整されたパラメータ値と、レタッチ処理後の画像データとを関連付けるＣＰＵ１０１と、パラメータ値を適用しておこなうレタッチ処理を示す情報として、ＣＰＵ１０１によってパラメータ値と関連付けられた画像データを呈示する表示部１０５と、を備える。【選択図】        図１
2006279154.tif 000002
【特許請求の範囲】
【請求項１】
画像データのレタッチ処理をおこなう際に当該画像データのパラメータ値を調整する調整手段と、
前記調整手段によって調整された前記パラメータ値と、前記レタッチ処理後の前記画像データとを関連付ける関連付け手段と、
前記パラメータ値を適用しておこなう前記レタッチ処理を示す情報として、前記関連付け手段によって前記パラメータ値と関連付けられた前記画像データを呈示する呈示手段と、
を備えることを特徴とする画像処理装置。
【請求項２】
前記調整手段は、前記画像データの複数のパラメータ値を調整自在であり、
前記関連付け手段は、前記調整手段が調整した前記複数のパラメータ値を一つのパラメータセットとして前記画像データと関連付けるものであり、
前記呈示手段は、前記パラメータセットを適用しておこなう前記レタッチ処理を示す情報として、前記画像データを呈示することを特徴とする請求項１に記載の画像処理装置。
【請求項３】
前記関連付け手段によって前記画像データと関連付けられた前記パラメータセットを適用して、所望の画像データのパラメータ値を設定する設定手段を備えることを特徴とする請求項２に記載の画像処理装置。
【請求項４】
前記パラメータセットに含まれる複数のパラメータ値のうち一部のパラメータ値を選択する選択手段を備え、
前記設定手段は、前記選択手段によって選択された一部のパラメータ値を、前記所望の画像データのパラメータ値として設定することを特徴とする請求項３に記載の画像処理装置。
【請求項５】
前記関連付け手段は、前記レタッチ処理後の画像データとともに、前記レタッチ処理前の画像データを前記パラメータ値と関連付け、
前記呈示手段は、前記レタッチ処理後の画像データを呈示するとともに、前記レタッチ処理前の画像データを呈示することを特徴とする請求項１〜４のいずれか一つに記載の画像処理装置。
【請求項６】
前記呈示手段は、前記画像データのサムネイル画像を呈示することを特徴とする請求項１〜５のいずれか一つに記載の画像処理装置。
【請求項７】
画像データのレタッチ処理をおこなう際に当該画像データのパラメータ値を調整する調整工程と、
前記調整工程によって調整された前記パラメータ値と、前記レタッチ処理後の前記画像データとを関連付ける関連付け工程と、
前記パラメータ値を適用しておこなう前記レタッチ処理を示す情報として、前記関連付け工程によって前記パラメータ値と関連付けられた前記画像データを呈示する呈示工程と、
を含むことを特徴とする画像処理方法。
【請求項８】
請求項７に記載の画像処理方法をコンピュータに実行させることを特徴とする画像処理プログラム。
【請求項９】
請求項８に記載の画像処理プログラムを記録したコンピュータに読み取り可能な記録媒体。
【発明の詳細な説明】
【技術分野】
【０００１】
この発明は、画像データの処理をおこなう画像処理装置、画像処理方法、画像処理プログラムおよび記録媒体に関する。
【背景技術】
【０００２】
従来、デジタルカメラで撮影した画像や、スキャナで取り込んだ画像に対して、明度や彩度などの各種パラメータの値を変更し、加工・修正するレタッチ処理がおこなわれている。レタッチ処理にあたっては、画像データに対して直接各種パラメータ値の変更をおこなう他、変更したパラメータ値をパラメータセットとして保存・登録し、他の画像データに適用するなどの方法がある。また、パラメータセットを登録する際に、パラメータセット名を設定したり、補正内容に関するコメントを付加できるものもある。さらに、風景や人物などの撮影対象に応じて、デジタルカメラなどにあらかじめ設定されたパラメータセット（プリセットパラメータセット）を利用することもできる。
【０００３】
このように、変更したパラメータの値をパラメータセットとして登録したり、プリセットパラメータセットを用いることによって、複数のパラメータ値を設定する必要がなくなり、レタッチ処理におけるユーザの処理負担を軽減することができる（たとえば、下記特許文献１参照。）。
【０００４】
【特許文献１】特開２００３−０６７７６６号公報
【発明の開示】
【発明が解決しようとする課題】
【０００５】
しかしながら、登録したパラメータセットを他の画像データに適用する場合、パラメータセット適用前後の画像データの変化がどのようなものか知ることができないという問題点があった。一般に、パラメータセットの各種パラメータの値を見ても、そのパラメータセットを適用することが、どのような効果をもたらすかを知ることはできない。このため、パラメータセットを登録しても、有効に活用することができなかった。
【０００６】
また、パラメータセットに、パラメータセット名やコメントなどが付加されている場合であっても、パラメータセット名やコメントはテキストデータであり、パラメータセットの適用による視覚的な効果を表現することはできない。このため、同様に、パラメータセットの活用を図ることができず、ユーザの処理負担の軽減を図ることができなかった。
【０００７】
また、プリセットパラメータには、その効果を表現するためにサンプル画像のサムネイルが付加されている場合がある。このような場合であっても、自分が撮影した画像にプリセットパラメータを適用した場合に、実際にどのような効果を得ることができるかは知ることができない。このため、プリセットパラメータを有効に活用することができなかった。
【０００８】
この発明は、上述した従来技術による問題点を解消するため、パラメータセットを適用したレタッチ処理により、どのような効果が得られるかを示すことができる画像処理装置、画像処理方法、画像処理プログラムおよび記録媒体を提供することを目的とする。
【課題を解決するための手段】
【０００９】
上述した課題を解決し、目的を達成するため、本発明にかかる画像処理装置は、画像データのレタッチ処理をおこなう際に当該画像データのパラメータ値を調整する調整手段と、前記調整手段によって調整された前記パラメータ値と、前記レタッチ処理後の前記画像データとを関連付ける関連付け手段と、前記パラメータ値を適用しておこなう前記レタッチ処理を示す情報として、前記関連付け手段によって前記パラメータ値と関連付けられた前記画像データを呈示する呈示手段と、を備えることを特徴とする。
【００１０】
この場合、ユーザがおこなったレタッチ処理後の画像データを、レタッチ処理において設定されたパラメータ値の代わりに呈示することができる。これにより、ユーザが設定したパラメータ値を適用しておこなうレタッチ処理の内容を、呈示された画像データによって確認することができる。
【００１１】
また、前記調整手段は、前記画像データの複数のパラメータ値を調整自在であり、前記関連付け手段は、前記調整手段が調整した前記複数のパラメータ値を一つのパラメータセットとして前記画像データと関連付けるものであり、前記呈示手段は、前記パラメータセットを適用しておこなう前記レタッチ処理を示す情報として、前記画像データを呈示することとしてもよい。
【００１２】
この場合、複数のパラメータ値をパラメータセットとして関連付けることができる。また、パラメータセットを適用してレタッチ処理した画像データをパラメータセットの値の代わりに呈示することができる。これにより、ユーザが設定したパラメータセットを適用しておこなうレタッチ処理の効果を、呈示された画像データによって確認することができ、適切なパラメータ値の設定が可能となる。
【００１３】
また、前記関連付け手段によって前記画像データと関連付けられた前記パラメータセットを適用して、所望の画像データのパラメータ値を設定する設定手段を備えることとしてもよい。
【００１４】
この場合、所望の画像データに、他の画像データへのレタッチ処理において設定したパラメータセットを適用して、レタッチ処理をおこなうことができる。
【００１５】
また、前記パラメータセットに含まれる複数のパラメータ値のうち一部のパラメータ値を選択する選択手段を備え、前記設定手段は、前記選択手段によって選択された一部のパラメータ値を、前記所望の画像データのパラメータ値として設定することとしてもよい。
【００１６】
この場合、パラメータセットに含まれる複数のパラメータ値のうち、所望のパラメータ値のみを適用したレタッチ処理をおこなうことができる。
【００１７】
また、前記関連付け手段は、前記レタッチ処理後の画像データとともに、前記レタッチ処理前の画像データを前記パラメータ値と関連付け、前記呈示手段は、前記レタッチ処理後の画像データを呈示するとともに、前記レタッチ処理前の画像データを呈示することとしてもよい。
【００１８】
この場合、レタッチ処理前後の画像データが呈示されることとなり、当該パラメータ値を適用しておこなうレタッチ処理の効果をより詳細に知ることができる。
【００１９】
また、前記呈示手段は、前記画像データのサムネイル画像を呈示することとしてもよい。
【００２０】
この場合、データ容量が少ないサムネイルを呈示することとなるため、画像処理装置の記憶領域の節約や処理負担の軽減を図ることができる。
【００２１】
また、本発明にかかる画像処理方法は、画像データのレタッチ処理をおこなう際に当該画像データのパラメータ値を調整する調整工程と、前記調整工程によって調整された前記パラメータ値と、前記レタッチ処理後の前記画像データとを関連付ける関連付け工程と、前記パラメータ値を適用しておこなう前記レタッチ処理を示す情報として、前記関連付け工程によって前記パラメータ値と関連付けられた前記画像データを呈示する呈示工程と、を含むことを特徴とする。
【００２２】
この場合、複数のパラメータ値をパラメータセットとして関連付けることができる。また、パラメータセットを適用してレタッチ処理した画像データをパラメータセットの値の代わりに呈示することができる。これにより、ユーザが設定したパラメータセットを適用しておこなうレタッチ処理の効果を、呈示された画像データによって確認することができ、適切なパラメータ値の設定が可能となる。
【００２３】
また、本発明にかかる画像処理プログラムは、上述した画像処理方法をコンピュータに実行させることを特徴とする。
【００２４】
この場合、複数のパラメータ値をパラメータセットとして関連付けることができる。また、パラメータセットを適用してレタッチ処理した画像データをパラメータセットの値の代わりに呈示することができる。これにより、ユーザが設定したパラメータセットを適用しておこなうレタッチ処理の効果を、呈示された画像データによって確認することができ、適切なパラメータ値の設定が可能となる。
【００２５】
また、コンピュータに読み取り可能な記録媒体に、上述の画像処理プログラムを記録することもできる。
【発明を実施するための最良の形態】
【００２６】
以下に添付図面を参照して、この発明にかかる画像処理装置、画像処理方法、画像処理プログラムおよび記録媒体の好適な実施の形態を詳細に説明する。
【００２７】
（画像処理装置１００のハードウェア構成）
図１は、実施の形態にかかる画像処理装置のハードウェア構成を示すブロック図である。実施の形態にかかる画像処理装置１００は、ＣＰＵ１０１と、ＲＯＭ１０２と、ＲＡＭ１０３と、ユーザ操作部１０４と、表示部１０５と、Ｉ／Ｆ１０６と、ＨＤＤ１０７と、ＨＤ１０８と、記録媒体デコード部１０９と、記録媒体１１０とによって構成される。
【００２８】
ＣＰＵ（Ｃｅｎｔｒａｌ  Ｐｒｏｃｅｓｓｉｎｇ  Ｕｎｉｔ）１０１は、所定の演算処理を実行する。ＲＯＭ（Ｒｅａｄ  Ｏｎｌｙ  Ｍｅｍｏｒｙ）１０２は、各種制御プログラムを格納する。ＲＯＭ１０２に格納されたデータは、ユーザの操作によって書き換えることが可能ではあるが、電源ＯＦＦによって消去されることはないものとする。
【００２９】
ＲＡＭ（Ｒａｎｄｏｍ  Ａｃｃｅｓｓ  Ｍｅｍｏｒｙ）１０３は、可変的なデータを書き換え自在に記憶し、ＣＰＵ１０１のワークエリアとして機能する。ＲＡＭ１０３は、電源ＯＦＦによって記憶されたデータが消去される揮発性のメモリであってもよいし、バッテリなどによってバックアップすることにより不揮発性のメモリとしてもよい。
【００３０】
ユーザ操作部１０４は、文字、数値、各種指示など、ユーザによって入力操作された情報をＣＰＵ１０１に対して出力する。ユーザ操作部１０４の構成としては、物理的な押下／非押下を検出する押ボタンスイッチ、マウス、キーボード、タッチパネル、ジョイスティックなど公知の各種形態を採用することが可能である。ユーザ操作部１０４は、外部からの音声を入力するマイクを用いて、音声によって入力操作をおこなう形態としてもよい。
【００３１】
ユーザ操作部１０４は、画像処理装置１００の本体に対して一体に設けられていてもよいし、リモコンのように画像処理装置１００から分離して操作可能な形態であってもよい。ユーザ操作部１０４は、上述した各種形態のうちいずれか単一の形態で構成されていてもよいし、複数の形態で構成されていてもよい。ユーザは、ユーザ操作部１０４の形態に応じて適宜入力操作をおこなうことで情報を入力する。ユーザ操作部１０４の操作によって入力される情報として、たとえば、レタッチ処理のパラメータ値やパラメータセットの名称などが挙げられる。
【００３２】
表示部１０５は、たとえば、ＣＲＴ（Ｃａｔｈｏｄｅ  Ｒａｙ  Ｔｕｂｅ）、ＴＦＴ液晶ディスプレイ、有機ＥＬディスプレイ、プラズマディスプレイなどのディスプレイ装置を含む。表示部１０５は、具体的には、たとえば、映像Ｉ／Ｆや映像Ｉ／Ｆに接続された映像表示用のディスプレイ装置によって構成することができる。映像Ｉ／Ｆは、具体的には、たとえば、ディスプレイ装置全体の制御をおこなうグラフィックコントローラと、即時表示可能な画像情報を一時的に記憶するＶＲＡＭ（Ｖｉｄｅｏ  ＲＡＭ）などのバッファメモリと、グラフィックコントローラから出力される画像情報に基づいて、ディスプレイ装置を表示制御する制御ＩＣなどによって構成される。
【００３３】
表示部１０５には、アイコン、カーソル、メニュー、ウィンドウ、あるいは文字や画像などの各種情報が表示される。また、表示部１０５には、後述するサムネイル画像や、各サムネイル画像に関連付けられたパラメータセット設定値などの情報が表示される。サムネイル画像やパラメータセット設定値などの情報は、たとえばアイコンの形態で表示されており、ユーザ操作部１０４によってカーソルを操作しアイコンを指定することで、サムネイル画像や印刷条件などを指定することができる。
【００３４】
Ｉ／Ｆ１０６には、図示しないデジタルカメラやスキャナなどの他の画像処理装置が接続される。画像処理装置１００は、Ｉ／Ｆ１０６に接続されたデジタルカメラやスキャナから取得した画像に対して各種の画像処理をおこなう。また、Ｉ／Ｆ１０６はネットワークに接続するためのものであってもよい。この場合、Ｉ／Ｆ１０６は通信ケーブルを介してＬＡＮやＷＡＮなどのネットワークに接続され、ネットワークとＣＰＵ１０１とのインターフェースとして機能する。画像処理装置１００は、ネットワークに接続された情報処理装置などから取得した画像データに対して画像処理をおこなう。
【００３５】
ＨＤＤ（Ｈａｒｄ  Ｄｉｓｋ  Ｄｒｉｖｅ）１０７は、ＨＤ１０８に対する情報の読み取り／書き込みの制御をおこなう。画像処理プログラムが、たとえば、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｋ）、ＣＤ−ＲＯＭ（ＣＤ−Ｒ、ＣＤ−ＲＷ）、ＭＯ（Ｍａｇｎｅｔｏ−Ｏｐｔｉｃａｌ  ｄｉｓｋ）、メモリカードなどに記録されている場合、ＨＤＤ１０７に代えて、これらに記憶された情報の少なくとも読み取りが可能な専用のドライブ装置を用いる。
【００３６】
ＨＤ（Ｈａｒｄ  Ｄｉｓｋ）１０８は、各種制御プログラムや各種情報をコンピュータに読み取り可能に記録する。ＨＤ１０８は、ＨＤＤ１０７による情報の書き込みを受け付けるとともに、書き込まれた情報を不揮発に記録する。ＨＤ１０８は、画像処理プログラムによって画像処理された画像データや、Ｉ／Ｆ１０６を介して取得した画像データを記録する。
【００３７】
また、ＨＤ１０８には、後述する画像処理装置１００の処理の実行を実現する画像処理プログラムが記録されている。これにより、本実施の形態では、ＨＤ１０８によって本発明の記録媒体が実現される。また、本実施の形態のＨＤ１０８には、画像処理プログラムの実行に際して必要な各種の情報が記録されるメモリエリアが確保されている。
【００３８】
画像処理プログラムは、ＨＤ１０８に記録されているものに限らない。ＨＤ１０８に代えて、ＤＶＤ、ＣＤ、ＣＤ−ＲＯＭ（ＣＤ−Ｒ、ＣＤ−ＲＷ）、ＭＯ、メモリカードなどに画像処理プログラムが記録されていてもよい。画像処理プログラムの実行に際し、ＤＶＤ、ＣＤ、ＣＤ−ＲＯＭ（ＣＤ−Ｒ、ＣＤ−ＲＷ）、ＭＯ、メモリカードなどに記録された画像処理プログラムを用いる場合、画像処理装置１００には、ＤＶＤ、ＣＤ、ＣＤ−ＲＯＭ（ＣＤ−Ｒ、ＣＤ−ＲＷ）、ＭＯ、メモリカードなどに記録された情報の読み取りが可能な専用の読取装置を設ける。
【００３９】
記録媒体デコード部１０９は、記録媒体１１０に記録された情報の読み取りを制御する。記録媒体デコード部１０９は、可搬性を有し、記録媒体デコード部１０９に対する着脱が可能な記録媒体１１０を読み取り対象とする。具体的には、記録媒体１１０は、たとえば、ＤＶＤ、ＣＤ、ＣＤ−ＲＯＭ（ＣＤ−Ｒ、ＣＤ−ＲＷ）、ＭＯ、メモリカードなどによって実現される。
【００４０】
記録媒体１１０が、たとえば、ＣＤ−ＲＯＭ（ＣＤ−Ｒ、ＣＤ−ＲＷ）である場合、記録媒体デコード部１０９は、ＣＤ−ＲＯＭドライブによって実現される。ＣＤ−ＲＯＭドライブについては、公知の技術であるため、図示および説明を省略する。たとえば、ＤＶＤ、ＣＤ、ＣＤ−ＲＯＭ（ＣＤ−Ｒ、ＣＤ−ＲＷ）、ＭＯ、メモリカードなどによって記録媒体１１０を実現した場合には、これらの記録媒体１１０に対する情報の読み取りが可能なドライブ装置によって記録媒体デコード部１０９が実現される。
【００４１】
（画像処理装置１００がおこなうレタッチ処理手順）
つぎに、画像処理装置１００がおこなうレタッチ処理の手順について説明する。画像処理装置１００は、Ｉ／Ｆ１０６を介して取得した画像データやＨＤ１０８に記憶されている画像データに対して、レタッチ処理を施すことによって、画像データの加工・修正をおこなう。
【００４２】
画像処理装置１００によるレタッチ処理は、ユーザが各種パラメータの値を設定する他、あらかじめ設定されたプリセットパラメータセットや、ユーザによって登録されたパラメータセットを用いておこなうことができる。以下、パラメータセットの登録処理およびパラメータセットを用いたレタッチ処理の手順について説明する。
【００４３】
図２は、パラメータセットの登録処理の手順を示すフローチャートである。まず、画像処理装置１００は、ユーザ操作部１０４を介したユーザからの操作によって、画像データ（以下、処理対象画像という）にレタッチ処理をおこなう（ステップＳ２０１）。そして、レタッチ処理で得られたパラメータ設定値の登録が選択されたかを判断する（ステップＳ２０２）。
【００４４】
ステップＳ２０２において、パラメータ設定値を登録する場合は（ステップＳ２０２：Ｙｅｓ）、ユーザにパラメータセット名およびコメントの入力を要求する（ステップＳ２０３）。そして、パラメータセット名、コメント、登録日からなる関連情報および処理対象画像のサムネイルと、パラメータ設定値とを関連付けて保存する（ステップＳ２０４）。このとき、パラメータ設定値は、ステップＳ２０３において入力したパラメータセット名のパラメータセットとして登録される。そして、レタッチ処理後の処理対象画像を保存して（ステップＳ２０５）、本フローチャートによる処理を終了する。一方、ステップＳ２０２において、パラメータ設定値を登録しない場合は（ステップＳ２０２：Ｎｏ）、レタッチ処理後の処理対象画像を保存して（ステップＳ２０５）、本フローチャートによる処理を終了する。
【００４５】
図３は、レタッチ処理をおこなう際の表示画面の一例を示す図である。レタッチ処理をおこなう際のインターフェースであるレタッチ処理画面３００は、画像処理装置１００の表示部１０５に表示される。ユーザは、画像選択部３０１に表示された画像のサムネイルを参考にして、画像処理をおこなう画像（処理対象画像）を選択する。ユーザは、太線で示したフレーム３０３を動かすことによって、処理対象画像を選択する。選択された画像は、処理対象画像として処理対象画像表示部３０５に表示される。図示の例では、画像選択部３０１には、処理対象画像の候補画像３０２ａ〜３０２ｃが表示されている。また、候補画像３０２ａが処理対象画像として処理対象画像表示部３０５に表示されている。
【００４６】
ユーザは、パラメータ設定部３１１に表示されたパラメータ調整部３１２（３１２ａ〜３１２ｆ）によって、処理対象画像の各種パラメータを調整する。図示の例ではパラメータとして、解像度、ハイライト、中間調、色相、彩度、明度がそれぞれ調整できるようになっている。たとえば、解像度を調整したい場合、解像度のパラメータ調整部３１２ａのスライダーバー３１５を左右に移動させる。これにより、解像度の高低を調整することができる。
【００４７】
また、現在の解像度の設定が標準からどの位の位置にあるかを表示する数値表示３１７を設け、数値調整ボタン３１８によって数値を調整してパラメータの調整をおこなってもよい。図示の例では、解像度は標準設定のまま（プラスマイナス０）である。ステップＳ２０１のレタッチ処理は、上述したような手順でおこなう。
【００４８】
レタッチ処理によって得られたパラメータ設定は、パラメータセット登録ボタン３３１を押下することによって、パラメータセットとして登録することができる。ステップＳ２０２でおこなうパラメータ設定の登録が選択されたかの判断は、パラメータセット登録ボタン３３１が押下されるか否かによっておこなうことができる。パラメータセットを登録する際の処理の詳細については、後述する。さらに、詳細設定ボタン３３２を押下すると、図示しないパラメータ設定部３１１に調整部が設けられていないパラメータを設定する設定画面に移行する。
【００４９】
パラメータセット適用ボタン３４１を押下すると、処理対象画像に対して登録されたパラメータセットを適用することができる。パラメータセットを処理対象画像に適用する際の処理の詳細については、後述する。画像保存ボタン３４２を押下すると、レタッチ処理後の処理対象画像を保存することができる。キャンセルボタン３４３を押下すると、それまでおこなったレタッチ処理をキャンセルして、レタッチ処理を終了する。
【００５０】
図４は、パラメータセットの登録をおこなう際の表示画面の一例を示す図である。図３に示したレタッチ処理画面３００上に表示されたパラメータセット登録ボタン３３１を押下すると（ステップＳ２０２：Ｙｅｓに対応）、図４に示すパラメータセット登録画面４００に移行する。パラメータセット登録画面４００には、登録用サムネイル表示部４１１が設けられている。
【００５１】
登録用サムネイル表示部４１１には、登録されるパラメータセットに関連付けて保存される画像のサムネイル（登録用サムネイル）が表示される。登録用サムネイルは、パラメータセットとして登録するレタッチ処理をおこなった処理対象画像のサムネイルである。図示の例では、図３で処理対象画像となっていた画像データが登録用サムネイル表示部４１１に表示されている。なお、パラメータセットに他の画像のサムネイルを関連付けたい場合には、変更ボタン４１２を押下することによって、図示しない他の画像を選択する画面に移行する。
【００５２】
また、登録用サムネイルとして、レタッチ処理後の処理対象画像とともに、レタッチ処理前の処理対象画像を登録できるようにしてもよい。この場合、後述するパラメータセットの適用の際には、パラメータセットを表す情報として、レタッチ処理前後の処理対象画像のパラメータセットを表示する。これにより、パラメータセット適用による画像の変化を、より的確にユーザに把握させることができる。
【００５３】
パラメータセット名入力部４２１には、登録するパラメータセットの名前を入力する。また、コメント入力部４２２には、補正内容などに関するコメントを入力する。パラメータセット名入力部４２１およびコメント入力部４２２に入力されたパラメータセット名およびコメントは、登録されるパラメータセットに関連付けて保存される。また、パラメータセットの登録日の情報もパラメータセットに関連付けて保存される。登録日の情報を変更したい場合は、登録日変更ボタン４２３を押下することによって、図示しない登録日を指定する画面に移行する。
【００５４】
パラメータセット設定表示部４２４には、登録されるパラメータセットの詳細な設定が表示される。図示した例では、図３のパラメータ設定部３１１で設定可能な解像度、ハイライト、中間調、色相、彩度、明度の他、ホワイトバランス、ノイズ除去、エッジ強調のパラメータ設定が表示されている。
【００５５】
登録ボタン４３１を押下すると、パラメータセット設定表示部４２４に表示された設定内容のパラメータセットが、登録用サムネイル表示部４１１に表示された画像のサムネイル、およびパラメータセット名入力部４２１およびコメント入力部４２２に入力されたパラメータセット名およびコメント、登録日とともに登録される。なお、パラメータセットの登録を取りやめる場合には、キャンセルボタン４３２を押下することによって、図３のレタッチ処理画面３００に戻ることができる。
【００５６】
画面右には、登録されているパラメータセットの一覧である、パラメータセット一覧表示部４４１が表示されている。パラメータセット一覧表示部４４１には、登録されているパラメータセットに関連付けられた画像のサムネイル４４２ａ〜４４２ｃ、パラメータセット名、コメント、登録日からなる関連情報４４３ａ〜４４３ｃが表示される。なお、パラメータセットの登録時において、レタッチ処理前後の画像のサムネイルも関連付けられた場合は、サムネイル４４２ａ〜４４２ｃにはレタッチ処理前後のサムネイルが表示される。
【００５７】
ユーザはパラメータセット一覧表示部４４１の表示を見て、登録するパラメータセットが既に登録されているパラメータセットと重複しないかなどを確認することができる。なお、パラメータセット一覧表示部４４１には、あらかじめ設定されているプリセットパラメータセットおよびサンプル画像を合わせて表示するようにしてもよい。
【００５８】
このように、登録をおこなったパラメータセットは、他の画像のレタッチ処理時に読み出し、適用させることができる。ユーザは、所持する機器（デジタルカメラなど）特性や自己の好みに合わせてパラメータセットを登録し、レタッチ処理に利用する。これにより、ユーザの要望に合わせたレタッチ処理をおこなうに際して、ユーザの処理負担を軽減させることができる。
【００５９】
図５は、パラメータセットを用いたレタッチ処理の手順を示すフローチャートである。まず、画像処理装置１００は、ユーザ操作部１０４を介したユーザからの操作によって、処理対象画像にレタッチ処理をおこなう（ステップＳ５０１）。つぎに、レタッチ処理中にパラメータセットの適用が選択されたかを判断する（ステップＳ５０２）。この判断は、処理対象画像のレタッチ処理中に、パラメータセット適用ボタン３４１（図３参照）が押下されたか否かを判断することによっておこなう。
【００６０】
パラメータセットの適用が選択された場合は（ステップＳ５０２：Ｙｅｓ）、すべてのパラメータセットに関連付けられた画像のサムネイルおよび関連情報を表示する（ステップＳ５０３）。ユーザは、表示されたサムネイルおよび関連情報から適用するパラメータセットを選択する。ユーザによってパラメータセットが選択されると（ステップＳ５０４：Ｙｅｓ）、処理対象画像に選択されたパラメータセットを適用し（ステップＳ５０５）、ステップＳ５０７に移行する。ここで、パラメータセットを適用するとは、パラメータセットとして図２に示す処理によって登録されたパラメータ値を用いてレタッチ処理をおこなうことである。一方、パラメータセットが選択されない場合は、パラメータセットが選択されるまで待機を継続する（ステップＳ５０４：Ｎｏのループ）。
【００６１】
また、ステップＳ５０２において、パラメータセットの適用が選択されない場合は（ステップＳ５０２：Ｎｏ）、ユーザによるパラメータ調整部３１２の操作に基づいてレタッチ処理をおこなう（ステップＳ５０６）。そして、レタッチ処理後の処理対象画像を保存して（ステップＳ５０７）、本フローチャートによる処理を終了する。
【００６２】
図６は、パラメータセットの選択をおこなう際の表示画面の一例を示す図である。パラメータセット選択画面６００には、パラメータセット一覧表示部６１１が表示されている。パラメータセット一覧表示部６１１には、パラメータセットに関連付けられた画像のサムネイル６１２（６１２ａ〜６１２ｃ）および関連情報（パラメータセット名、コメント、登録日）６１３（６１３ａ〜６１３ｃ）が表示される。ユーザは、太線で示したフレーム６１５を動かし、所望のパラメータセットを示すサムネイルに合わせた位置で選択ボタン６２１を押下することによって、処理対象画像に適用するパラメータセットを選択する。
【００６３】
このように、パラメータセットを示す情報として、パラメータセット登録時の処理対象画像のサムネイルを表示することによって、ユーザはパラメータセットの適用によってどのような効果を得ることができるかを知ることができる。なお、パラメータセットの登録時において（図４参照）、レタッチ処理前後の画像のサムネイルも関連付けられた場合は、サムネイル６１２にはレタッチ処理前後のサムネイルが表示される。これにより、ユーザはレタッチ処理前後の画像を確認することができ、さらに的確にパラメータセットの内容を知ることができる。
【００６４】
選択ボタン６２１が押下されると、画面右側にパラメータセットの詳細設定６２３が表示される。ユーザは、表示されたパラメータセットの詳細設定６２３を確認し、適用ボタン６３１を押下する。これにより、処理対象画像にパラメータセットを適用することができる。また、パラメータセットの設定は、通常はすべてのパラメータに対して適用されるが、一部のパラメータのみ適用したい場合は、各パラメータごとに適用チェックボックス６３２を設けるようにしてもよい。ユーザは、適用が不要なパラメータのチェックボックスのチェックを外した上で適用ボタン６３１を押下することによって、所望のパラメータのみにパラメータセットの設定を適用することができる。
【００６５】
また、登録されたパラメータセットの設定を変更したい場合には、パラメータセット設定変更ボタン６３３を押下することによって、図示しない設定変更画面に移行することができる。このとき、プリセットパラメータに関連付けられたサンプル画像を、ユーザがレタッチ処理した画像に変更できるようにしてもよい。また、プリセットパラメータセットの一部のパラメータを変更し、ユーザの好みや、所有する機器の特性に合わせたパラメータセットを新たに生成できるようにしてもよい。パラメータセットの適用を取りやめる場合には、キャンセルボタン６３５を押下することによって、図３に示すレタッチ処理画面３００に戻ることができる。
【００６６】
以上説明したように、画像処理装置、画像処理方法、画像処理プログラムおよび記録媒体によれば、ユーザがおこなったレタッチ処理後の画像データを、パラメータセットの処理内容を示す情報として表示することができる。ユーザは、設定したパラメータセットを適用しておこなうレタッチ処理の内容を、表示された画像データによって確認することができる。これにより、適切なパラメータセットの適用をおこなうことができ、ユーザの処理負担を軽減することができる。
【００６７】
また、表示される画像データは、ユーザ自身がレタッチ処理をおこなった画像データである。このため、次回以降にパラメータセットを適用する場合であっても、ユーザはレタッチ処理の内容を想起することができ、より適切にパラメータセットを活用することができる。
【００６８】
さらに、パラメータセットの適用前後の画像データを表示することによって、より詳細にパラメータセットの適用によって得られる効果を知ることができる。また、データ容量が少ないサムネイルを表示するため、画像処理装置の記憶領域の節約や、表示の際の処理負担の軽減を図ることができる。
【００６９】
なお、本実施の形態で説明した画像処理方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【図面の簡単な説明】
【００７０】
【図１】実施の形態にかかる画像処理装置のハードウェア構成を示すブロック図。
【図２】パラメータセットの登録処理の手順を示すフローチャート。
【図３】レタッチ処理をおこなう際の表示画面の一例を示す図。
【図４】パラメータセットの登録をおこなう際の表示画面の一例を示す図。
【図５】パラメータセットを用いたレタッチ処理の手順を示すフローチャート。
【図６】パラメータセットの選択をおこなう際の表示画面の一例を示す図。
【符号の説明】
【００７１】
１００  画像処理装置、１０１  ＣＰＵ、１０２  ＲＯＭ、１０３、ＲＡＭ  、１０４  ユーザ操作部、１０５  表示部、１０６  Ｉ／Ｆ、１０７  ＨＤＤ、１０８  ＨＤ、１０９  記録媒体デコード部  、１１０  記録媒体
【図１】
2006279154.tif 000003
【図２】
2006279154.tif 000004
【図３】
2006279154.tif 000005
【図４】
2006279154.tif 000006
【図５】
2006279154.tif 000007
【図６】
2006279154.tif 000008